(57)【特許請求の範囲】
【請求項１】
門扉に配設した電気錠の施錠及び解錠を無線で実行可能な電気錠システムであって、
無線を受信するためのアンテナを備えた受信ユニットと、上記受信ユニットのアンテナ部分を覆う非金属製のカバー部材と、を備えた無線受信部を設け、
上記無線受信部は、上記カバー部材が上記受信ユニットのアンテナ部分を覆った状態で、上記門扉の門柱上端部に装着され、
上記受信ユニットは、電池を格納する電池収容部を備え、
上記電池収容部は、上記門扉の門柱内部に格納されることを特徴とする、電気錠システム。
【発明の詳細な説明】
【技術分野】
【０００１】
この発明は、門扉に配設した電気錠の施錠及び解錠を無線で実行可能な電気錠システムに関するものである。
【背景技術】
【０００２】
従来、住宅と道路との境界に門扉を設けることが行われている。門扉を設ける目的はさまざまであるが、防犯性の向上や意匠性の向上といった目的が主に挙げられる。
【０００３】
門扉の防犯性を向上させる方法としては門扉に電気錠を設ける方法が考えられる。門扉に電気錠を設ければ、カードキーをかざすなどの容易な操作で解錠ができ、利便性も高い。また、遠隔操作可能で電気錠の施錠・解錠ができるようにすれば、来客などの際に室内から電気錠を解錠することもでき、非常に便利である。
【０００４】
しかしながら、遠隔操作により電気錠の施錠・解錠ができるようにするためには室内から門扉までの配線工事が必要となる。このため、大掛かりな工事が必要となり、費用が嵩むという問題があった。特に、すでに設置済みの門扉に対して配線工事を行うことは困難であり、費用も増大してしまうという問題があった。
【０００５】
これに対応するものとして、特許文献１には、太陽電池と電気錠を作動させる発信器からの動作信号を受信する受信器とを配設してなるアーチ門ユニットの発明が知られている。この特許文献１記載の発明によれば、無線で電気錠の施錠・解錠をできるようにしているため、室内から門扉までの配線工事が不要である。
【先行技術文献】
【特許文献】
【０００６】
【特許文献１】特許２６５３５３８号公報
【発明の概要】
【発明が解決しようとする課題】
【０００７】
しかしながら、特許文献１記載の発明は、太陽電池や受信機をアーチ門ユニットのアーチ部に設けることが前提であり、アーチ部を有する門扉が前提となっている。このため、意匠上の制限が大きく、また、設置済みの門扉に対して後から電気錠を取り付ける工事を行うこともできなかった。
【０００８】
そこで、本発明は、室内から門扉までの配線工事を不要とすることで電気錠の施工コストを低減させるとともに、設置済みの門扉に対しても容易に施工が可能な電気錠システムを提供することをその課題とする。
【課題を解決するための手段】
【０００９】
上記課題を解決するため、請求項１に係る発明は、門扉に配設した電気錠の施錠及び解錠を無線で実行可能な電気錠システムであって、無線を受信するためのアンテナを備えた受信ユニットと、上記受信ユニットのアンテナ部分を覆う非金属製のカバー部材と、を備えた無線受信部を設け、上記無線受信部は、上記カバー部材が上記受信ユニットのアンテナ部分を覆った状態で、上記門扉の門柱上端部に装着され、上記受信ユニットは、電池を格納する電池収容部を備え、上記電池収容部は、上記門扉の門柱内部に格納されることを特徴とする。
【００１０】
【発明の効果】
【００１１】
請求項１に記載の発明によれば、無線で電気錠を操作できるので、門扉から室内へと至る配線工事が不要であり、工事費を抑えつつ門扉のセキュリティを向上できる。
【００１２】
また、無線受信部は門扉の門柱上端部に装着される。このため、門扉のデザインによらず共通して用いられる門柱に無線受信部を装着することができ、共通の無線受信部を様々なデザインの門扉に使用することができる。更には、既に設置済みの門柱に対して後付けで無線受信部を装着することも容易であり、例えば非電気錠から電気錠へリフォームすることも容易である。
【００１３】
また、受信ユニットのアンテナ部分は、非金属製のカバー部材で覆われているため、金属で覆われることによる受信感度の低下の問題がない。
【００１４】
また、無線受信部を門扉の門柱上端部に装着することで、無線受信部が門扉のデザインに影響を与えず、意匠性を損なうことがない。更には、高い位置にアンテナが配置されることで受信感度も良好にすることができる。
【００１５】
また、受信ユニットは電池を格納する電池収容部を備えており、受信ユニットを電池式とすることができるので、室内から電源線を引く必要がなく、施工性が良い。
【００１６】
また、受信感度に影響のあるアンテナ部分は非金属製のカバー部材で覆うとともに、金属製の門柱で覆われても問題のない電池収容部は門柱内部に格納することで、カバー部材の高さを抑えることができる。このため、カバー部材を含めた門柱全体の高さが変わることによるデザインへの影響を極力小さくすることができる。
【図面の簡単な説明】
【００１７】
【図１】電気錠システムを備えた門扉及び門柱を示す正面図である。
【図２】電気錠システムを備えた門扉及び門柱を示す斜視図である。
【図３】門柱上端部の一部拡大斜視図である。
【図４】無線受信部の分解斜視図である。
【図５】受信ユニットの内部構造を示す断面斜視図である。
【発明を実施するための形態】
【００１８】
本実施形態に係る電気錠システムは、門扉１０に配設した電気錠２０の施錠及び解錠を無線で実行可能なものであり、図１及び図２に示すように、門扉１０の戸先框１１にカードキーなどで解錠可能な電気錠２０を設けている。
【００１９】
この電気錠２０は、リモートコントローラ（図示せず）などを操作することで、室内などの遠隔から無線によって施錠及び解錠が行えるようになっている。この施錠及び解錠のための無線信号は、門柱１３の上端に設けられた無線受信部４０が受信し、電気錠２０へと送信される。無線受信部４０からの信号を受信した電気錠２０の制御部は、モータ等の駆動部を駆動させることでデッドボルトを戸先から出没させ、施錠及び解錠を実行するようになっている。
【００２０】
なお、無線受信部４０と電気錠２０とは、門扉１０の下面に沿って設けられた配線３０によって接続されており、この配線３０によって上記した信号のやり取りが行われる。
【００２１】
無線受信部４０は、図３及び図４に示すように、門柱１３の上端に装着されており、後述する受信ユニット４１と、この受信ユニット４１を覆う非金属製のカバー部材４５と、を備えている。
【００２２】
受信ユニット４１は、上段のアンテナ収容部４２と下段の電池収容部４４とを重ねてユニット結合用ビス４６で結合したものである。この受信ユニット４１は、門柱１３の形状に合わせたブロック状の形状となっており、平面視で門柱１３の中空部に収まる大きさとなっている。
【００２３】
このうち、アンテナ収容部４２は、図４に示すように、背の低い四角柱状である。このアンテナ収容部４２には、図５に示すように、リモートコントローラなどからの無線を受信するためのアンテナ４３が内蔵されている。なお、このアンテナ収容部４２は、アンテナ４３の受信感度を妨げないように、樹脂などの非金属でアンテナ４３を保護している。
【００２４】
また、電池収容部４４は、図４に示すように、アンテナ収容部４２の下面に突出して設けられており、その内部には無線受信部４０の電源用の電池が格納されている。なお、電池収容部４４に収容される電池としては、屋外であることの温度特性を考慮して、ニッケル水素電池を用いることが望ましい。
【００２５】
なお、電気錠２０の電源用の電池は戸先框１１に設けられた制御ユニット（図示せず）内に格納されており、制御ユニットから電気錠２０を駆動する電源を供給している。
【００２６】
カバー部材４５は、合成樹脂等の非金属製の部材であり、門柱１３の上端を覆うように取り付けられることで、門柱１３の上端に装着された受信ユニット４１の上部を覆うものである。このカバー部材４５は、上記した受信ユニット４１の上半分、すなわちアンテナ４３を収容したアンテナ収容部４２を覆うことのできる高さとなっている。
【００２７】
上記した無線受信部４０を門柱１３に装着する際には、まず、受信ユニット４１を門柱１３の中空部に電池収容部４４が下になるように挿入する。このとき、アンテナ収容部４２は、門柱１３の上端縁よりも上方に突出するように配置される。その後、受信ユニット４１の上からカバー部材４５を取り付ける。最後に、門柱１３の外側からビス孔１３ａにカバー固定用ビス４７を挿入してカバー部材４５の通孔４５ａを貫通させ、受信ユニット４１の固定孔４１ａに螺合させる。これにより、カバー部材４５及び受信ユニット４１が門柱１３に固定される。
【００２８】
なお、無線受信部４０を装着しようとした門柱１３に無線受信部４０を装着するための加工がなされていない場合でも、門柱１３にビス孔１３ａを穿孔するだけで無線受信部４０を装着できるようになっている。このため、既存の門柱１３に無線受信部４０を取り付ける場合でも、簡単な工事で施工することができ、例えば電気錠がないものから電気錠２０へリフォームすることも容易である。このとき、門柱１３を意匠性の良い長さに切断してよい。
【００２９】
以上説明したように、本実施形態によれば、無線で電気錠２０を操作できるので、門扉１０から室内へと至る配線工事が不要であり、工事費を抑えつつ門扉１０のセキュリティを向上できる。
【００３０】
また、無線受信部４０は門扉１０の門柱１３上端部に装着される。このため、門扉１０のデザインによらず共通して用いられる門柱１３に無線受信部４０を装着することができ、共通の無線受信部４０を様々なデザインの門扉１０に使用することができる。更には、既に設置済みの門柱１３に対して後付けで無線受信部４０を装着することも容易であり、例えば非電気錠から電気錠２０へリフォームすることも容易である。
【００３１】
また、受信ユニット４１のアンテナ４３部分は、非金属製のカバー部材４５で覆われているため、金属で覆われることによる受信感度の低下の問題がない。
【００３２】
また、無線受信部４０を門扉１０の門柱１３上端部に装着することで、無線受信部４０が門扉１０のデザインに影響を与えず、意匠性を損なうことがない。更には、高い位置にアンテナ４３が配置されることで受信感度も良好にすることができる。
【００３３】
また、受信ユニット４１は電池を格納する電池収容部４４を備えており、受信ユニット４１を電池式とすることができるので、室内から電源線を引く必要がなく、施工性が良い。
【００３４】
また、受信感度に影響のあるアンテナ４３部分は非金属製のカバー部材４５で覆うとともに、金属製の門柱１３で覆われても問題のない電池収容部４４は門柱１３内部に格納することで、カバー部材４５の高さを抑えることができる。このため、カバー部材４５を含めた門柱１３全体の高さが変わることによるデザインへの影響を極力小さくすることができる。
【符号の説明】
【００３５】
１０  門扉
１１  戸先框
１３  門柱
１３ａ  ビス孔
２０  電気錠
３０  配線
４０  無線受信部
４１  受信ユニット
４１ａ  固定孔
４２  アンテナ収容部
４３  アンテナ
４４  電池収容部
４５  カバー部材
４５ａ  通孔
４６  ユニット結合用ビス
４７  カバー固定用ビス
【図１】
0006007419.tif 000002
【図２】
0006007419.tif 000003
【図３】
0006007419.tif 000004
【図４】
0006007419.tif 000005
【図５】
0006007419.tif 000006